(57)【要約】      （修正有）【課題】所定角度で自動的に往復旋回することのできる足踏み板を備えた電動式腰ひねり機を提供する。【解決手段】台座１と、駆動部材２と、第１連動部材３と、第２連動部材４と、移動部材５と、底台座６と、足踏み板７とから構成される。台座の中央には連接板で連結された１対の固定ブロックが設けてあり、固定ブロック下側空間には駆動部材が配設され、該駆動部材の上面には連接板を挟んで第１連動部材が配設され、固定ブロックの一側面に第２連動部材が配設される。駆動部材の電動モータの出力軸には伝動ディスクが設けてあり、伝動ディスクの下端には歯車が設置してある。移動板の一側面にはラックが設けてあり、第２連動部材の歯車と噛合い、移動部材の動きに第２連動部材が連動してそのシャフトが旋回するようになる。上面中央に底台座６が被せられ、貫通孔６２から第２連動部材のシャフトの先端部が突出し、踏み板に当接して、踏み板が所定角度で自動的に旋回移動する。【選択図】図１
0003109845.tif 000002
【実用新案登録請求の範囲】
【請求項１】
台座と、該台座に設置される駆動部材と、前記駆動部材と連動する第１連動部材と、第２連動部材と、移動部材と、上面に足踏み板を設置した底台座とから構成された電動式腰ひねり機の構造であって、
前記台座は、連接板により連結された固定ブロックからなり、前記連接板の下端収容空間には前記駆動部材が配設されると共に、前記固定ブロックの上端にはそれぞれ支持ロッド挿通用の貫通孔を有しており、
前記駆動部材は、可逆転可能の電動モータによって構成され、前記モータの出力軸の先端には伝動ディスクが設けてあり、前記伝動ディスクの下端には歯車を備え、前記固定ブロックの連接板に設けた固定孔と対応する締結孔が設けられて、互いにネジ結合されてなり、
前記第１連動部材は、両端に開孔を有する連動ブロックと、伝動シャフトと、レバーとからなり、前記連動ブロックの一端開孔を介し前記伝動シャフトが前記伝動ディスクと結合され、その他端開孔部には前記レバーが配設され、
前記第２連動部材は、前記固定ブロックの外側面の縦方向に形成した貫通穴に装着した軸受けと、この軸受けに回動可能に支持される歯車を装着したとシャフトからなり、
前記移動部材は、前記固定ブロックの上端に配設した支持ロッドに支持されて、左右方向に水平移動可能な移動板によって構成され、前記移動板には、前後方向の中央に上下に貫通する長形孔が形成してあり、この長形孔に前記第１連動部材のレバーの先端部が貫通位置するようになっていると共に、前記移動板の一側面にはラックが形成されており、前記第２連動部材の歯車と噛合するようになっており、
前記底台座は、前記駆動部材、第１連動部材、第２連動部材、及び移動部材を覆うように円筒状に形成されており、その上面に仕切板を備え、前記仕切板中央には貫通孔が形成されて、前記第２連動部材のシャフトの先端部が貫通して、前記仕切板の上面に配設された前記足踏み板に当接するようになっていることを特徴とする電動式腰ひねり機の構造。
【請求項２】
前記伝動ディスクには、締結孔と、第１連動部材を設置するための貫通孔とが設けてあることを特徴とする請求項１に記載の電動式腰ひねり機の構造。
【請求項３】
前記足踏み板には異なる材質で作製された足踏みゾーンが設けてあり、前記足踏みゾーンには滑り止め効果および按摩効果を同時に有する突起が多数に設けてあることを特徴とする請求項１に記載の電動式腰ひねり機の構造。
【考案の詳細な説明】
【技術分野】
【０００１】
本考案は電動式腰ねじり機の構造に係り、特に、足踏み板を所定角度で自動的に往復旋回することで、腰部以下の下半身運動・鍛錬を行うようにした電動式腰ねじり機の構造に関するものである。
【背景技術】
【０００２】
腰ねじり機は健康器具の一つとして開発されているが、現在市販されている腰ねじり機の種類・形式・作動方式は極めて多岐にわたる。各メーカの腰ねじり機にはそれぞれに長所もあるし短所もあるが、共通していることは殆んどの従来の腰ねじり機では、使用者自身が自分の腰部や足部の力により腰ねじり機を操縦することで、腰部以下の下半身部分の鍛錬または運動効果が達成できるようにしていることである。
【考案の開示】
【考案が解決しようとする課題】
【０００３】
しかしながら、これは次のような欠点がある。
（イ）高齢者或いは腰部又は足部が不自由な人が使用者であれば、このような自力による腰ねじり機を使用することができない。
（ロ）使用者が自分の腰部や足部の力により腰ねじり機を操縦する方式では、腰部や足部の力を上手く制御することが難しいので、腰部以下の下半身にダメージを受け易く、苦痛を伴い、使用者が長時間に使用することができなくなる恐れがある。
（ハ）従来の腰ねじり機によれば、大きな角度で往復旋回することができないので、運動効果が良くない。
【０００４】
本考案の主な目的は、足踏み板を所定角度で自動的に往復旋回できるようにした電動式腰ねじり機の構造を提供するものである。
【０００５】
本考案の次なる目的は、足踏みゾーンに隆起部を多数に設け、滑り止め効果および按摩効果を同時に有するようにした電動式腰ねじり機の構造を提供するものである。
【課題を解決するための手段】
【０００６】
上記目的を達成するためになされた本願の考案は、台座と、該台座に設置される駆動部材と、前記駆動部材と連動する第１連動部材と、第２連動部材と、移動部材と、上面に足踏み板を設置した底台座とから構成された電動式腰ひねり機の構造であって、前記台座は、連接板により連結された固定ブロックからなり、前記連接板の下端収容空間には前記駆動部材が配設されると共に、前記固定ブロックの上端にはそれぞれ支持ロッド挿通用の貫通孔を有しており、前記駆動部材は、可逆転可能の電動モータによって構成され、前記モータの出力軸の先端には伝動ディスクが設けてあり、前記伝動ディスクの下端には歯車を備え、前記固定ブロックの連接板に設けた固定孔と対応する締結孔が設けられて、互いにネジ結合されてなり、前記第１連動部材は、両端に開孔を有する連動ブロックと、伝動シャフトと、レバーとからなり、前記連動ブロックの一端開孔を介し前記伝動シャフトが前記伝動ディスクと結合され、その他端開孔部には前記レバーが配設され、前記第２連動部材は、前記固定ブロックの外側面の縦方向に形成した貫通穴に装着した軸受けと、この軸受けに回動可能に支持される歯車を装着したとシャフトからなり、前記移動部材は、前記固定ブロックの上端に配設した支持ロッドに支持されて、左右方向に水平移動可能な移動板によって構成され、前記移動板には、前後方向の中央に上下に貫通する長形孔が形成してあり、この長形孔に前記第１連動部材のレバーの先端部が貫通位置するようになっていると共に、前記移動板の一側面にはラックが形成されており、前記第２連動部材の歯車と噛合するようになっており、前記底台座は、前記駆動部材、第１連動部材、第２連動部材、及び移動部材を覆うように円筒状に形成されており、その上面に仕切板を備え、前記仕切板中央には貫通孔が形成されて、前記第２連動部材のシャフトの先端部が貫通して、前記仕切板の上面に配設された前記足踏み板に当接するようになっていることを特徴とする。
【０００７】
本願の考案では、前記伝動ディスクに、締結孔と、第１連動部材を設置するための貫通孔とが開設してあることを特徴とする請求項１に記載の電動式腰ねじり機の構造であることを要旨としている。
【０００８】
本願の考案では、前記足踏み板に異なる材質で作製された足踏みゾーンが設けられ、前記足踏みゾーンには滑り止め効果および按摩効果を同時に有する突起が多数に設けてあることを特徴とする請求項１に記載の電動式腰ねじり機の構造であることを要旨としている。
【考案の効果】
【０００９】
本考案に係る電動式腰ねじり機の構造によれば、次のような効果がある。
（イ）足踏み板が所定角度で自動的に往復旋回するように構成されているので、自分の下半身の力で運動ができないような人にも使用することができるだけでなく、腰部以下の下半身にダメージを受けることが著しく軽減されるので、使用者が安全に長時間に亘って使用することができる。
（ロ）所定角度で自動的に往復旋回運動を繰り返すので、運動効果が非常によい。
（ハ）足踏み板に設置された足踏みゾーンには隆起部が多数に設けてあるので、滑り止め効果および按摩効果を同時に発揮することができる。
【考案を実施するための最良の形態】
【００１０】
以下、添付図面を参照して本考案の好適な実施の形態を詳細に説明する。
【００１１】
まず、図１を参照する。本考案に係る電動式腰ねじり機の構造は、上部に計器盤を取り付けた支柱を一側に立設した基台に設置される台座１と、該台座１に設置された電動式腰ねじり機を駆動する駆動部材２と、前記駆動部材２と連動する第１連動部材３と、第２連動部材４と、移動部材５と、上面に足踏み板７を設置する底台座６と、一つの足踏み板７とから構成されたものである。
【００１２】
前記台座１は、その中央に連接板１２で連接された１対の固定ブロック１１が設けてあり、前記固定ブロック１１の上には複数個の固定孔１２１と貫通孔１２２とが開設してあり、前記台座１の各上端にはそれぞれ対応して貫通孔１４が設けられ、移動部材５の２本の支持ロッド５２が挿通されて、移動部材が固定ブロック１１に固定されるようになっている。固定ブロック１１の下側には駆動部材を収容するための収容空間が設けてあり、また、その一側面には第２連動部材を設置するための貫通孔部１１１が設けられている。
【００１３】
前記駆動部材２は、可逆回転可能な電動モータ２１及びその出力軸先端に配置された伝動ディスク２２からなり、前記伝動ディスク２２の上面には、前記固定ブロック１１の連接板１２に設けられた固定用孔１２１と対応する締結孔２２１が設けられており、固定ブロック１１と駆動部材２とが互いにネジによって連結固定される。さらに、前記伝動ディスク２２上面には、第１連動部材３と連結するためのための貫通孔２２２が設けられている。さらに、前記駆動部材の伝動ディスク２２の下面には歯車２３が配置固定されている。
【００１４】
前記第１連動部材３は、両端にそれぞれ開孔を有する連動ブロック３１と、伝動シャフト３２と、レバー３３とからなり、前記連動ブロックの一端の開孔は前記伝動ディスク上の貫通孔２２２と連通するように位置付けられ、ここに伝動シャフト３２が嵌合固定され、これにより前記伝動ディスク２と前記第１連動部材３とが互いに連結される。前記連動ブロックの他端の開孔にはレバー３３が設けられる。レバー３３の先端部は、移動板５１の中央長形孔を貫通するように位置付けられる。
【００１５】
前記第２連動部材４は、シャフト４１と、歯車４３と、軸受け４２とから構成され、台座１に立設された支柱の相対向する側で、前記固定ブロック１１の外周に形成した貫通穴部１１１に配置される。
【００１６】
前記移動部材５は、移動板５１と支持ロッド５２とから構成されたものであり、前記移動板５１は、その前後方向の中央に上下に貫通する長形孔５１１が開設してあり、移動板５１を固定ブロック１１に固定するときに、この長形孔５１１に前記連動ブロック３１の連動レバー３３の頭部が飛び出るように位置付けることで、第１連動部材からの駆動力が移動部材５に伝わるようになる。また、移動部材の一側面にはラック５１２が形成されており、前記第２連動部材４の歯車４３と噛合していて、これにより、連動レバー３３の駆動によって移動部材５が左右に水平移動したときに、それに連動して第２連動部材４が旋回するようになる。さらにまた、移動部材５の左右両側には２本の支持ロッド収容するための貫通孔５１３が形成してある。
【００１７】
前記底台座６は、上面には仕切り板６１を備えた円筒状に形成されていて、前記駆動部材２、第１連動部材３、第２連動部材４、及び移動部材５を覆って設置される。前記仕切り板６１中央には貫通孔６２が形成されていて、前記連動部材４のシャフト４１頭部が抜け出て、前記仕切り板６１の上面に配設された足踏み板７に当接しており、これにより、シャフト４１の所定角度の往復旋回運動が足踏み板７に伝わるようになっている。
【００１８】
前記足踏み板７は異なる材質で足裏を模して形成された足踏みゾーン７１が設けてあり、前記足踏みゾーン７１には滑り止め効果および按摩効果を同時に発揮させるための複数の隆起部７１１が設けてある。
【００１９】
また、図２と図３と図６に示すのは、本考案の組立て状態を示す腰部斜視図である。
まず、台座１の固定ブロック１１の底端に駆動部材２を設置して固定用ネジ１３により固定する。そして、台座１の固定ブロック１１の側部に形成された貫通孔である収容空間１１１に第２連動部材４を設置すると、第２連動部材４の最下端部に配置されている軸受け４２が駆動部材２の伝動ディスク２２の底端に配置されている歯車２３と噛み合うようになる。
【００２０】
第１連動部材３の伝動シャフト３２が、連動ブロック３１の一端の開孔に挿入され、台座１の固定ブロック１１の中央の貫通孔１２２と、駆動部材２の先端の伝動ディスク２２の貫通孔２２２とを挿通して、駆動部材２と連結される。
【００２１】
また、連動ブロック３１の他端の開孔に設置されたレバー３３は、支持部材５が台座１の支持ロッド用貫通孔１４に挿通されて固定ブロック１１に固定されるときに、移動部材５の移動板５１の中央にある長形孔５１１を挿通するように位置付けられるようになっている。
【００２２】
さらに、第２連動部材４の歯車４３が、移動部材５の移動板５１の側面に形成されたラック５１２と噛合される。
【００２３】
また、移動部材５は、その支持ロッド５２が移動部材５の支持ロッド用貫通孔５１３を挿通され、更に、固定ブロック１１の上端に形成された貫通孔１４を通されて、台座１に締結される。
【００２４】
さらにまた、第２連動部材４のシャフト４１の頭部が底台座６の貫通孔を挿通して足踏み板７に当接するようになる。
【００２５】
図４と図５に示すのは、本考案の動作順序である。
まず、駆動部材２の可逆転可能なモータ２１が起動されて第１連動部材３を駆動すると、第１連動部材３のレバー３３の動きで移動部材５の移動板５１が支持ロッドに沿って左右に水平移動すると、それに伴い、移動部材５の移動板５１の側面に形成されたラック５１２と第２連動部材４の歯車４３との噛合いにより、第２連動部材４も連動される。
【００２６】
第２連動部材４のシャフト４１の頭部が底台座６の貫通孔６２を通り抜け、足踏み板７に当接しているので、移動部材５のラックに噛合っている第２連動部材の歯車４３を介して第２連動部材４が連動されたとき、移動板５１の左右水平移動距離に対応する分だけ第２連動部材４が旋回して、足踏み板７を所定角度で一方向に旋回させて停止した後、移動板５１の別方向の移動距離分だけ足踏み板７を他方向に所定角度旋回して停止し、これにより、足踏み板７が所定角度で自動的に旋回移動することができるようになる。従って、使用者は、自分の力で腰部や足部を捩じって運動するという必要なく、自動的に腰部や足部を運動することが達成できる。
【図面の簡単な説明】
【００２７】
【図１】本考案の電動式腰ねじり機の構造の実施例を示す分解斜視図である。
【図２】本考案の電動式腰ねじり機の構造の実施例を示す要部組立て状態の拡大斜視図である。
【図３】本考案の電動式腰ねじり機の構造の実施例を示す要部組立て状態の拡大斜視図である。
【図４】本考案の電動式腰ねじり機の構造の実施例を示す使用状態における要部の拡大斜視図である。
【図５】本考案の電動式腰ねじり機の構造の実施例を示す使用状態における要部の拡大斜視図である。
【図６】本考案の電動式腰ねじり機の構造の実施例を示す要部組立て状態の全体斜視図である。
【符号の説明】
【００２８】
１        台座                      １１      固定ブロック
１２      固定ネジ                  １３      支持ロッド用貫通孔
１４      貫通孔                    １２１    固定孔
１２２    貫通孔                    ２        駆動部材
２１      電動モータ                ２２      伝動ディスク
２３      歯車                      ２２１    締結孔
２２２    貫通孔                    ３        第１連動部材
３１      連動ブロック              ３２      伝動シャフト
３３      レバー                    ４        第２連動部材
４１      シャフト                  ４２      軸受け
４３      歯車                      ５        移動部材
５１      移動板                    ５２      支持ロッド
５１１    長形孔                    ５１２    ラック
５１３    支持ロッド用貫通孔        ６        底台座
７        足踏み板                  ７１      足踏みゾーン
７１１    突起
【図１】
0003109845.tif 000003
【図２】
0003109845.tif 000004
【図３】
0003109845.tif 000005
【図４】
0003109845.tif 000006
【図５】
0003109845.tif 000007
【図６】
0003109845.tif 000008